(57)【特許請求の範囲】
【請求項１】
第１の本体と第２の本体とを開閉自在に連結するヒンジ部と、前記第１の本体に前記ヒンジ部の回転軸と平行な回転軸周りに回転可能に設けられた付加ユニットと、を有する折畳み式携帯端末機器において、
前記第２の本体の一部位である第１の固定部と前記付加ユニットの一部位である第２の固定部とに固定された紐を有し、
前記紐は、前記第１の本体と前記第２の本体を閉じた状態では前記付加ユニットが前記第１の本体に対して所定の回転位置をとるように前記第１の固定部と前記第２の固定部との間で張られ、かつ、前記第１の本体と前記第２の本体を開いた状態ではたるみが生じて前記付加ユニットが任意の回転位置をとることができるように固定されていることを特徴とする折畳み式携帯端末機器。
【請求項２】
前記第１の本体と前記第２の本体を閉じた状態では、前記紐は、前記ヒンジ部の軸受部の外周を経由して、前記第１の固定部と前記第２の固定部との間で張られていることを特徴とする請求項１に記載の折畳み式携帯端末機器。
【請求項３】
前記第１の本体と前記第２の本体を閉じ、かつ、前記付加ユニットが所定の回転位置にあるとき、前記付加ユニットの前記第２の固定部は、前記ヒンジ部に最も近い位置にあることを特徴とする請求項１に記載の折畳み式携帯端末機器。
【請求項４】
前記紐が外部に露出するのを避けるカバーをさらに有することを特徴とする請求項１から３のいずれかに記載の折畳み式携帯端末機器。
【請求項５】
前記紐が、可撓性のある金属編組線であることを特徴とする請求項１から４のいずれかに記載の折畳み式携帯端末機器。
【請求項６】
前記紐が、ナイロン編組線であることを特徴とする請求項１から４のいずれかに記載の折畳み式携帯端末機器。
【発明の詳細な説明】
【０００１】
【発明の属する技術分野】
本発明は折畳み式携帯端末機器に関し、特にカメラ等の付加ユニットの自動収納に関する。
【０００２】
【従来の技術】
従来の折畳み式携帯端末機器は、折畳み式携帯端末機器に回転可能なカメラ等の付加ユニットを設置する場合、携帯端末機器の厚さより、平面方向の寸法が大きいため、正規の位置から９０度移動すると、筐体から凸となる位置になってしまい、その状態で開時から閉時にする際に、折畳み式携帯端末機器上部に設置してあるカメラ等の付加ユニットと折畳み式携帯端末機器下部とが接触し、折畳み式携帯端末機器を破損させる可能性があった。
【０００３】
【発明が解決しようとする課題】
本発明は、折畳み式携帯端末機器に上下前後方向に回転可能なヒンジ構造を有するカメラ等の付加ユニットが備えつけられており、折畳み式携帯端末機器のヒンジ部とカメラ等の付加ユニットのヒンジ部間に紐を設けることにより、折畳み式携帯端末機器を閉じた時にカメラ等の付加ユニットの位置が常に一定方向に収納され、閉時にカメラ等の付加ユニットと折畳み式携帯端末機器本体下部とが接触による部品の破損を回避する折畳み式携帯端末機器を提供することを目的とする。
【０００４】
【課題を解決するための手段】
本発明の折畳み式携帯端末機器は、第１の本体と第２の本体とを開閉自在に連結するヒンジ部と、前記第１の本体に前記ヒンジ部の回転軸と平行な回転軸周りに回転可能に設けられた付加ユニットと、を有する折畳み式携帯端末機器において、
前記第２の本体の一部位である第１の固定部と前記付加ユニットの一部位である第２の固定部とに固定された紐を有し、
前記紐は、前記第１の本体と前記第２の本体を閉じた状態では前記付加ユニットが前記第１の本体に対して所定の回転位置をとるように前記第１の固定部と前記第２の固定部との間で張られ、かつ、前記第１の本体と前記第２の本体を開いた状態ではたるみが生じて前記付加ユニットが任意の回転位置をとることができるように固定されていることを特徴とする。
【０００５】
上記の折畳み式携帯端末機器は、前記第１の本体と前記第２の本体を閉じた状態では、前記紐は、前記ヒンジ部の軸受部の外周を経由して、前記第１の固定部と前記第２の固定部との間で張られているものであり、また、前記第１の本体と前記第２の本体を閉じ、かつ、前記付加ユニットが所定の回転位置にあるとき、前記付加ユニットの前記第２の固定部は、前記ヒンジ部に最も近い位置にあるものである。
【０００６】
また、張られた紐は、弾性を有する紐であることを特徴とし、可撓性のある金属編組線、ナイロン編組線であっても良い。
【０００７】
さらに、収納手段には、張られた紐が外部に露出するのを避けるカバーを有する。
【０００８】
本発明は、折畳み式携帯端末機器において、特に折畳み式携帯端末機器に回転可能なヒンジ構造を有するカメラ等の付加ユニットが備えつけられており、折畳み式携帯端末機器のヒンジ部とカメラ等の付加ユニットのヒンジ部間に紐を設けることにより、折畳み式携帯端末機器を閉じた時にカメラ等の付加ユニットの位置が常に一定方向に定まることが特徴である。
【０００９】
【発明の実施の形態】
次に、本発明の実施の形態について図面を参照して詳細に説明する。図１は、本発明の一実施例を示した構成斜視図、図２は、図１の折畳み式携帯端末機閉時の側面図である。
【００１０】
図１によれば、折畳み式携帯端末機器本体上部１は、上下前後方向に回転機能を有するカメラ等の付加ユニット４が設置されていて、折畳み式携帯端末機器本体下部２とヒンジ３にて連結している。折畳み式携帯端末機器本体下部２のヒンジ３の軸受部２ａには、紐５を固定するための溝２ｂが設けられており、溝２ｂにヒンジ３中心から離れた箇所に設けられている紐固定部２ｃにて紐５と締結されている。また、折畳み式携帯端末機器本体上部１上のカメラ等の付加ユニット４は、紐５を固定するための回転軸４ａの端面に円盤４ｂが設けられており、円盤４ｂに回転軸４ａ中心から離れた箇所に設けられている紐固定部４ｃにて紐５と締結されている。
【００１１】
図２によれば、折畳み式携帯端末機器本体下部２のヒンジ３にある軸受部２ａの溝２ｂに設けられている紐固定部２ｃはカメラ等の付加ユニット４から、より離れた箇所に位置し、また、折畳み式携帯端末機器本体上部１上のカメラ等の付加ユニット４にある回転軸４ａ端面の円盤４ｂの回転軸４ａ中心から離れた箇所に設けられている紐固定部４ｃは、ヒンジ３にもっとも近い位置にある。紐５の長さは折畳み式携帯端末機器が閉時にカメラ等の付加ユニットのレンズ４ｄが折畳み式携帯端末機器本体上部背面に位置した状態で最短になる寸法となっている。カメラ等の付加ユニット４のレンズ４ｄは折畳み式携帯端末機器本体上部正面に位置していても構わない。
【００１２】
次に、本実施例の動作について図面を参照して詳細に説明する。図３は、図１の折畳み式携帯端末機開時の側面図、図４は、図３（ｂ）から角度１５度まで閉じた時の側面図である。
【００１３】
図３によれば、（ａ）は、折畳み式携帯端末機器本体開時に、カメラ等の付加ユニット４のレンズ４ｄが折畳み式携帯端末機器本体上部背面に位置した状態を示している。このとき、紐５はたわみが発生し、カメラ等の付加ユニット４が回転軸４ａに沿って回転運動可能となる。
【００１４】
図３の（ｂ）は、折畳み式携帯端末機器本体開時に、カメラ等の付加ユニット４のレンズ４ｄが折畳み式携帯端末機器本体上部正面に位置した状態を示している。このとき、紐５のたわみは最小となるが、たわみは残っている。
【００１５】
図３の（ｃ）は、折畳み式携帯端末機器本体開時に、カメラ等の付加ユニット４のレンズ４ｄが折畳み式携帯端末機器本体上部上面に位置した状態を示している。
【００１６】
図３の（ｄ）は、折畳み式携帯端末機器本体開時に、カメラ等の付加ユニット４のレンズ４ｄが折畳み式携帯端末機器本体上部下面に位置した状態を示している。
【００１７】
カメラ等の付加ユニット４は回転軸４ａに沿って３６０℃回転することが可能である。
【００１８】
図４によれば、（ａ）は、図３（ｂ）から角度１５度まで閉じた時の一実施例の側面図である。折畳み式携帯端末機器本体が開時から閉時に移行するとき、紐５はヒンジ３に沿ってヒンジ３側に引っ張られるため、紐５が締結されているカメラ等の付加ユニット４にある回転軸４ａ端面の円盤４ｂの回転軸４ａ中心から離れた箇所に設けられている紐固定部４ｃはヒンジ３側に移動する。このとき、カメラ等の付加ユニット４が図３（Ｃ）依りに位置している場合、カメラ等の付加ユニット４のレンズ４ｄは折畳み式携帯端末機器本体上部１の上面を通って定位置の背面側に戻る。
【００１９】
図４の（ｂ）は、図３（ｂ）から角度１５度まで閉じた時に、他の一実施例の側面図である。折畳み式携帯端末機器本体が開時から閉時に移行するとき、紐５はヒンジ３に沿ってヒンジ３側に引っ張られるため、紐５が締結されているカメラ等の付加ユニット４にある回転軸４ａ端面の円盤４ｂの回転軸４ａ中心から離れた箇所に設けられている紐固定部４ｃはヒンジ３側に移動する。このとき、カメラ等の付加ユニット４が図３（ｄ）依りに位置している場合、カメラ等の付加ユニット４のレンズ４ｄは折畳み式携帯端末機器本体上部１の下面を通って定位置の背面側に戻る。
【００２０】
図４（ａ）（ｂ）共に、さらに閉じる方向に移動すると、カメラ等の付加ユニット４と折畳み式携帯端末機器本体下部２とは、接触することなく閉状態となる。また、カメラ等の付加ユニット４と折畳み式携帯端末機器本体下部２とが接触することがあっても、軽荷重で回転できる位置関係にあるため、部品の破損までにはいたらない。
【００２１】
図５は、本発明の他の一実施例を示した構成斜視図である。折畳み式携帯端末機器本体上部１は、上下前後方向に回転機能を有するカメラ等の付加ユニット４が設置されており、折畳み式携帯端末機器本体下部２とヒンジ３にて連結している。折畳み式携帯端末機器本体下部２のヒンジ３の軸受部２ａには、紐５を固定するための溝２ｂが設けられており、溝２ｂにヒンジ３中心から離れた箇所に設けられている紐固定部２ｃにて紐５と締結されている。また、折畳み式携帯端末機器本体上部１上のカメラ等の付加ユニット４は、紐５を固定するための回転軸４ａの端面に円盤４ｂが設けられており、円盤４ｂに回転軸４ａ中心から離れた箇所に設けられている紐固定部４ｃにて紐５と締結されている。紐５が折畳み式携帯端末機器本体外部に設けられているため、折畳み式携帯端末機器本体上部１には紐５のサポートカバー６が設けられている。
【００２２】
【発明の効果】
本発明によれば、折畳み式携帯端末機器のヒンジ部とカメラ等の付加ユニットのヒンジ部間に紐を設けることにより、折畳み式携帯端末機器を閉じた時にカメラ等の付加ユニットの位置が常に一定方向に定まり、閉時にカメラ等の付加ユニットと折畳み式携帯端末機器本体下部とが接触による部品の破損を回避する効果がある。
【図面の簡単な説明】
【図１】本発明の一実施例を示した構成斜視図である。
【図２】図１の折畳み式携帯端末機閉時の側面図
【図３】図１の折畳み式携帯端末機開時の側面図、（ａ）は折畳み式携帯端末機器本体開時にカメラ等の付加ユニット４のレンズ４ｄが折畳み式携帯端末機器本体上部背面に位置した状態図、（ｂ）は折畳み式携帯端末機器本体開時にカメラ等の付加ユニット４のレンズ４ｄが折畳み式携帯端末機器本体上部正面に位置した状態図、（ｃ）は折畳み式携帯端末機器本体開時にカメラ等の付加ユニット４のレンズ４ｄが折畳み式携帯端末機器本体上部上面に位置した状態図、（ｄ）は折畳み式携帯端末機器本体開時にカメラ等の付加ユニット４のレンズ４ｄが折畳み式携帯端末機器本体上部下面に位置した状態図である。
【図４】図３（ｂ）から角度１５度まで閉じた時の側面図、（ａ）は図３（ｂ）から角度１５度まで閉じた時の一実施例の側面図、（ｂ）は図３（ｂ）から角度１５度まで閉じた時の他実施例の側面図である。
【図５】本発明の他の一実施例を示した構成斜視図である。
【符号の説明】
１    折畳み式携帯端末機器本体上部
２    折畳み式携帯端末機器本体下部
２ａ    軸受部
２ｂ    溝
２ｃ    紐固定部
３    ヒンジ
４    付加ユニット
４ａ    回転軸
４ｂ    円盤
４ｃ    紐固定部
４ｄ    レンズ
５    紐
６    サポートカバー
【図１】
0003716196.tif 000002
【図２】
0003716196.tif 000003
【図３】
0003716196.tif 000004
【図４】
0003716196.tif 000005
【図５】
0003716196.tif 000006